(57)【特許請求の範囲】
【請求項１】
画像形成装置及び画像管理サーバにネットワークを介して接続される画像読取装置において、
画像データをネットワークを介して前記画像形成装置に送信する第１の送信手段と、
ネットワークを介して前記画像形成装置がエラーを発生しているか否かを検出する検出手段と、
前記画像形成装置がエラーを発生していることを前記検出手段が検出した後、画像データをネットワークを介して前記画像管理サーバに送信する第２の送信手段と、
前記検出手段により前記画像形成装置のエラーが解除されたことを検出した後、前記画像管理サーバに対して前記第２の送信手段により送信されて前記画像管理サーバに格納された画像データを画像読取装置が受信するために前記画像管理サーバに対して送信を要求して、受信した画像データを再度前記画像形成装置に転送する転送手段と、を備えることを特徴とする画像読取装置。
【請求項２】
前記第２の送信手段は、前記検出手段により前記画像形成装置のエラーが検出された後、前記画像形成装置に送信するための画像データのうち少なくとも未送信の画像データをネットワークを介して前記画像管理サーバに送信する、ことを特徴とする請求項１に記載の画像読取装置。
【請求項３】
前記画像形成装置に対する各種設定を行う操作表示部と、
前記画像形成装置からネットワークを介して送信されるＨＴＭＬファイルを操作表示部に表示するブラウザ部と、を有する、ことを特徴とする請求項１又は２に記載の画像読取装置。
【請求項４】
画像形成装置及び画像管理サーバにネットワークを介して接続される画像読取装置の制御方法であって、
画像データをネットワークを介して前記画像形成装置に送信する第１の送信ステップと、
ネットワークを介して前記画像形成装置がエラーを発生しているか否かを検出する検出ステップと、
前記画像形成装置がエラーを発生していることを前記検出ステップで検出した後、画像データをネットワークを介して前記画像管理サーバに送信する第２の送信ステップと、
前記検出ステップで前記画像形成装置のエラーが解除されたことを検出した後、前記画像管理サーバに対して前記第２の送信ステップで送信されて前記画像管理サーバに格納された画像データを画像読取装置が受信するために前記画像管理サーバに対して送信を要求して、受信した画像データを再度前記画像形成装置に転送する転送ステップと、を備えることを特徴とする画像読取装置の制御方法。
【請求項５】
画像形成装置及び画像管理サーバにネットワークを介して接続される画像読取装置の制御プログラムであって、
画像データをネットワークを介して前記画像形成装置に送信する第１の送信ステップと、
ネットワークを介して前記画像形成装置がエラーを発生しているか否かを検出する検出ステップと、
前記画像形成装置がエラーを発生していることを前記検出ステップで検出した後、画像データをネットワークを介して前記画像管理サーバに送信する第２の送信ステップと、
前記検出ステップで前記画像形成装置のエラーが解除されたことを検出した後、前記画像管理サーバに対して前記第２の送信ステップで送信されて前記画像管理サーバに格納された画像データを画像読取装置が受信するために前記画像管理サーバに対して送信を要求して、受信した画像データを再度前記画像形成装置に転送する転送ステップと、をコンピュータに実行させる、ことを特徴とする画像読取装置の制御プログラム。
【発明の詳細な説明】
【技術分野】
【０００１】
本発明は、例えばインターネットやＬＡＮ等のネットワークを介して画像データを送信する機能を有する画像読取装置、画像読取装置の制御方法、及び画像読取装置の制御プログラムに関する。
【背景技術】
【０００２】
近年、画像読取装置として、読取った画像データをネットワークを介してサーバやクライアントＰＣ等に転送したり、画像形成装置に転送して印刷出力することが可能な所謂ネットワークスキャナ装置が普及してきている（特許文献１）。
【特許文献１】特開２０００−１８７５７３号公報
【発明の開示】
【発明が解決しようとする課題】
【０００３】
上記特許文献１のスキャナ装置では、読取られた原稿の画像データに基づく印刷データを画像形成装置に送信する際や送信中に画像形成装置にエラーが発生した場合、画像の読取り動作が中止され、継続して次の原稿の画像を読取ることができなくなる。
【０００４】
また、上記特許文献１のスキャナ装置では、全ての原稿の画像を読み取り、全ての印刷データをメモリに格納した後、印刷データを画像形成装置に送信することも可能である。
【０００５】
しかし、メモリに格納された全ての印刷データを画像形成装置に送信する際や送信中に画像形成装置にエラーが発生した場合、印刷データの送信が完了しない為、スキャナ装置内のメモリが開放されず、次の原稿の画像を継続して読取ることができなくなる。
【０００６】
そこで、本発明は、画像データを画像形成装置に送信する際や送信中に画像形成装置にエラーが発生した場合でも次の原稿の画像を継続して読取ることができる画像読取装置、画像読取装置の制御方法、及び制御プログラムを提供することを目的とする。
【課題を解決するための手段】
【０００７】
上記目的を達成するために、本発明は、画像形成装置及び画像管理サーバにネットワークを介して接続される画像読取装置において、画像データをネットワークを介して前記画像形成装置に送信する第１の送信手段と、ネットワークを介して前記画像形成装置がエラーを発生しているか否かを検出する検出手段と、前記画像形成装置がエラーを発生していることを前記検出手段が検出した後、画像データをネットワークを介して前記画像管理サーバに送信する第２の送信手段と、前記検出手段により前記画像形成装置のエラーが解除されたことを検出した後、前記画像管理サーバに対して前記第２の送信手段により送信されて前記画像管理サーバに格納された画像データを画像読取装置が受信するために前記画像管理サーバに対して送信を要求して、受信した画像データを再度前記画像形成装置に転送する転送手段と、を備えることを特徴とする。
【発明の効果】
【００１４】
本発明によれば、画像形成装置に画像データの送信を開始する際や送信中に画像形成装置にエラーが発生した場合でも次の原稿の画像を継続して読取ることができる。
【発明を実施するための最良の形態】
【００１５】
以下、本発明の実施形態を図面を参照して説明する。
【００１６】
（第１の実施形態）
図１は本発明の第１の実施形態であるネットワークスキャナ装置を説明するためのシステム構成図、図２は図１に示すネットワークスキャナ装置の機能ブロック図、図３は図１に示す画像形成装置の機能ブロック図である。
【００１７】
図１に示すように、本実施形態のネットワークスキャナ装置（画像読取装置）１０００は、ＬＡＮ等のネットワークを介して画像形成装置２０００及び画像管理サーバ３０００に接続されている。
【００１８】
ネットワークスキャナ装置１０００は、図２に示すように、ＣＰＵ１、ＲＡＭ２、ＲＯＭ３、操作表示部５、画像読取り部６及びネットワークＩ／Ｆ部７を備える。
【００１９】
ＣＰＵ１は、ＲＯＭ３に記憶されているスキャナ制御プログラム等、或いはＲＯＭ３からＲＡＭ２にロードされて記憶されているスキャナ制御プログラム等を実行することにより、システムバス４に接続される各デバイスを総括的に制御する。
【００２０】
ＲＡＭ２は、ＣＰＵ１の主メモリ、ワークエリア、画像読取り部６で読取られた画像データを記憶する記憶部等として機能する。
【００２１】
ＲＯＭ３に記憶されているスキャナ制御プログラムには、機構部制御プログラム、画像データ圧縮部８、画像データ変換部９、画像出力設定部１０等が含まれる。
【００２２】
画像データ圧縮部８は、画像読取り部６で読取られた画像データを、多値画像であればＪＰＥＧ、２値画像であればＭＨ等により圧縮する。画像データ変換部９は、圧縮画像を画像形成装置２０００が処理可能な印刷データに変換する。画像出力設定部１０は、画像形成装置２０００に対して、コピー部数、両面印刷、縮小等の設定を行うための印刷制御情報を印刷データとともに画像形成装置２０００にＬＡＮを介して送信する。
【００２３】
操作表示部５は、キーボードやタッチパネル等の入力部、及びＣＲＴや液晶表示部等の表示部により構成され、ユーザは送信先として画像管理サーバ３０００や画像形成装置２０００を指定する操作を行なうことができる。
【００２４】
画像形成装置２０００は、図３に示すように、ＣＰＵ２１、ＲＡＭ２２、ＲＯＭ２３、操作表示部２５、印刷部２６及びネットワークＩ／Ｆ部２７を備える。
【００２５】
ＣＰＵ２１は、ＲＯＭ２３内のプログラムＲＯＭに記憶されたプリンタ制御プログラム（機構部制御プログラム、画像データ伸張部２８等を含む）に基づいて、システムバス２４に接続される各デバイスにアクセスし、それらを総括的に制御する。
【００２６】
また、ＣＰＵ２１は、ネットワークを介して受信した圧縮画像データをプリンタ制御プログラムの一部である画像データ伸張部２８のアルゴリズムによって伸張し、印刷部２６に出力情報としての画像データ（印刷データ）を出力する。
【００２７】
ネットワークＩ／Ｆ部２７は、ＬＡＮを介して圧縮画像データの入力や、画像形成装置２０００の状態の出力等を行う。印刷データは、コピー部数、両面印刷の有無、縮小の有無等の印刷制御情報を含み、これらに従って印刷が行われるようにＣＰＵ２１により制御される。
【００２８】
ＲＡＭ２２は、ネットワークＩ／Ｆ部２７で受信した印刷データを格納する画像メモリや、ＣＰＵ２１のワークエリア等として機能する。
【００２９】
次に、図４を参照して、ネットワークスキャナ装置１０００のスキャナ制御プログラムの一部である画像データ読取送信処理について説明する。図４での各処理は、ＲＯＭ３に記憶されているスキャナ制御プログラムがＲＡＭ２にロードされて、ＣＰＵ１により実行される。
【００３０】
図４において、まず、ユーザが読取り対象の原稿を不図示の原稿トレイにセットした後、操作表示部５を用いて画像形成装置を選択する操作を行うと、該操作信号を基に、ＣＰＵ１は、送信先の画像形成装置２０００の選択を確定する（ステップＳ１０１）。
【００３１】
次いで、ユーザが操作表示部５を用いて画像形成装置２０００の設定情報を入力すると、ＣＰＵ１は、スキャナ制御プログラムの画像出力設定部１０を用いて後述する印刷データとともに画像形成装置２０００に送信する印刷条件を設定する（ステップＳ１０２）。例えば、コピー部数、両面印刷、縮小印刷等の印刷条件を設定する。
【００３２】
続いて、ユーザが操作表示部５を用いて原稿読取り時の各条件を入力すると、ＣＰＵ１は、原稿読取り時の各条件を設定する（ステップＳ１０３）。この設定操作が終了すると、読取り開始の操作を受付けることが可能になり、ＣＰＵ１は、操作表示部５のスタートキーを押す等の操作をユーザが行ったことを検出すると原稿の画像の読取りを開始する（ステップＳ１０４）。
【００３３】
引き続いて、上述の動作が終了すると、ＣＰＵ１は、原稿トレイにセットされた原稿の画像の読取りを行い、その読取った画像を処理プログラムの一部である画像データ圧縮部８のアルゴリズムで圧縮する（ステップＳ１０５）。
【００３４】
次いで、ＣＰＵ１は、該圧縮した画像データを画像データ変換部９のアルゴリズムで画像形成装置２０００が処理可能な印刷データ（圧縮画像データ）に変換し（ステップＳ１０６）、ＲＡＭ２に蓄積する（ステップＳ１０７）。
【００３５】
ＣＰＵ１は、直前に読取った原稿が最後であるか不図示の原稿センサ等を用いて判定し、上記の動作を繰り返す。ＣＰＵ１は、直前に読取った原稿が最後であれば原稿を全て読取り完了したと認識し、必要に応じてフラグ等をセットする（ステップＳ１０９）。
【００３６】
なお、ここでは原稿トレイにセットされた全ての原稿の画像を読取ってから次の送信処理に移るが、原稿の読取が所定の枚数に達したときや所定の記憶容量に達したとき、送信処理に移ってもよい。
【００３７】
上記の動作が完了すると、エラーの発生を検出するため、ＣＰＵ（検出手段）１は、ＬＡＮを経由して画像形成装置２０００の状態を示す情報を取得して、画像形成装置２０００が印刷データを受信できないエラー状態かを判断する（ステップＳ１１０）。画像形成装置２０００のエラーとしては、用紙無し、用紙詰まり、故障等がある。
【００３８】
そして、ＣＰＵ（第１の送信手段）１は、画像形成装置２０００のエラーを検出しなければ、画像形成装置２０００における印刷データの受信が可能であると判断して、画像形成装置２０００に印刷データの送信を開始する（ステップＳ１１１）。
【００３９】
次に、ＣＰＵ１は、全ての印刷データを送信し終わったかを判断（ステップＳ１１２）し、送信し終わっていれば処理を終了する。画像形成装置２０００は、ネットワークスキャナ装置１０００から送信された圧縮画像データを処理プログラムの一部である画像データ伸張部２８のアルゴリズムで伸張し印刷する。
【００４０】
一方、ステップＳ１１０で、画像形成装置２０００のエラーを検出した場合、画像形成装置２０００が印刷データを受信できないため、ＣＰＵ（第２の送信手段）１は、予め指定されている画像管理サーバ３０００に印刷データを送信する（ステップＳ１１３）。
【００４１】
また、ＣＰＵ１は、印刷データの送信が全て終了していないときに、画像形成装置２０００のエラーを検出した場合も、同様に画像管理サーバ３０００に印刷データを送信する。
【００４２】
画像管理サーバ３０００に送信する印刷データは、画像形成装置２０００に送信されなかった未送信の印刷データだけとすることが好ましいが、より信頼性を増すために、すでに画像形成装置２０００に送信し終わった印刷データを含めてもよい。
【００４３】
例えば、エラーが発生する直前に画像形成装置２０００に送信された印刷データを含めて画像管理サーバ３０００に送信するか、あるいはバッチ処理で読取られて生成された全ての印刷データを画像管理サーバ３０００に送信するようにしてもよい。このようにすると、画像形成装置２０００が受信した印刷データがエラー発生により消滅しても、画像管理サーバ３０００に残るため信頼性が高まる。
【００４４】
次に、図５を参照して、画像形成装置２０００のエラー状態が解除され、印刷データの受信が可能となったとき、画像管理サーバ３０００から画像形成装置２０００へ印刷データを転送する処理を説明する。図５での各処理は、ＲＯＭ３に記憶されているスキャナ制御プログラムがＲＡＭ２にロードされて、ＣＰＵ１により実行される。
【００４５】
まず、ＣＰＵ１は、ＬＡＮを介して画像形成装置２０００の状態を示す情報を取得して、画像出力装置が印刷データを受信できないエラー状態が続いているかを監視する（ステップＳ２０１）。
【００４６】
そして、エラーが解除されていた場合、ＣＰＵ１は、画像管理サーバ３０００に対して、送信した印刷データをネットワークスキャナ装置１０００に送信するように要求して印刷データを受信する（ステップＳ２０２）。
【００４７】
次に、ＣＰＵ（転送手段）１は、受信した印刷データを画像形成装置２０００に転送し（ステップＳ２０３）、全ての印刷データを転送し終わると、本処理を終了する。
【００４８】
以上により、画像読取装置２０００のエラー発生後に一旦画像管理サーバ３０００に記憶させておいた印刷データも、滞りなく画像形成装置２０００で印刷されることになる。
【００４９】
以上説明したように、本実施形態では、画像形成装置２０００のエラーを検出した際に印刷データを画像管理サーバ３０００に送信するように送信先を切換え、原稿の画像の読取動作は中断しないようにすることができる。
【００５０】
また、画像形成装置２０００のエラーが解除されれば、自動的に画像管理サーバ３０００に格納された残りの印刷データを画像形成装置２０００に送信するので、ユーザは画像形成装置２０００の紙詰まり等のエラーを解除させるだけで他の操作を行う必要はない。
【００５１】
これにより、印刷データを画像形成装置２０００に送信する際や送信中に画像形成装置２０００にエラーが発生した場合でも、印刷データを格納するためのスキャナ装置１０００のメモリを開放することができので、次の原稿の画像を継続して読取ることができる。
【００５２】
（第２の実施形態）
次に、図６〜図８を参照して、本発明の第２の実施形態であるネットワークスキャナ装置について説明する。
【００５３】
図６は本発明の第２の実施形態であるネットワークスキャナ装置の機能ブロック図、図７は画像形成装置の機能ブロック図である。なお、上記第１の実施形態と重複する部分については、各図に同一符号を付してその説明を省略する。
【００５４】
本実施形態のネットワークスキャナ装置１０００は、図６に示すように、上記第１の実施形態に対して、画像出力設定部１０が、ＷＷＷブラウザ部１１に置き換わった点が相違する。このＷＷＷブラウザ部１１は、ＲＯＭ３に記憶された処理プログラムの一部であり、ＷＷＷブラウザ機能を実現している。
【００５５】
また、画像形成装置２０００は、図７に示すように、上記第１の実施形態に対して、ＷＷＷサーバ機能を追加した点が相違する。このＷＷＷサーバ機能は、ＲＯＭ２３に記憶された処理プログラムの一部であるＷＷＷサーバ部２９が実現している。
【００５６】
そして、ネットワークスキャナ装置１０００の操作表示部５によりユーザが画像形成装置２０００のＵＲＬを入力すると、該ＵＲＬがネットワークを介して画像形成装置２０００に送信される。
【００５７】
画像形成装置２０００がＵＲＬを受信すると、画像形成装置２０００のＷＷＷサーバ部２９に設けられたホームページがＨＴＭＬファイル形式でネットワークを介してネットワークスキャナ装置１０００に送信される。
【００５８】
送信されたホームページは、ＨＴＭＬファイルを表示する処理プログラムであるＷＷＷブラウザ部１１によりネットワークスキャナ装置１０００の操作表示部５に表示することができ、操作表示部５によりユーザは画像形成装置２０００の各種設定が可能となる。
【００５９】
次に、図８を参照して、ネットワークスキャナ装置１０００の操作表示部５でユーザがＵＲＬを入力して、ネットワークを介して画像形成装置２０００にアクセスする際の処理例について説明する。図８での各処理は、ＲＯＭ３に記憶されているスキャナ制御プログラムがＲＡＭ２にロードされて、ＣＰＵ１により実行される。
【００６０】
まず、ＣＰＵ１は、ＷＷＷブラウザ部１１のブラウザ機能を起動する（ステップＳ４０１）。そして、ユーザにより操作表示部５を介して画像形成装置２０００のＵＲＬが入力されるとＣＰＵ１は、ネットワークを介して画像形成装置２０００へＵＲＬを送信する（ステップＳ４０２）。
【００６１】
次に、ＣＰＵ１は、画像形成装置２０００からネットワークを介した送信された出力設定画面のホームページを受信すると（ステップＳ４０３）、受信した出力設定画面をＷＷＷブラウザ部１１のブラウザ機能によって操作表示部５に表示する（ステップＳ４０４）。
【００６２】
このとき、ネットワークスキャナ装置１００からネットワークを介してアクセスを受けた画像形成装置２０００は、ＷＷＷサーバ部２９がＵＲＬを受け取って応答する。
【００６３】
すなわち、ＷＷＷサーバ部２９は、ＵＲＬを受け取った場合、出力設定画面を表示するためのＨＴＭＬファイルをネットワークを介してネットワークスキャナ装置１０００に送信する。
【００６４】
次に、ＣＰＵ１は、ユーザにより操作表示部５の出力設定画面を介して設定情報が入力されると、入力された情報を基に、コピー部数、両面印刷、縮小等の設定を行う（ステップＳ４０５）。
【００６５】
設定完了後、ＣＰＵ１は、原稿の画像の読取処理とネットワークを介して画像形成装置２０００への印刷データの送信処理とを行う（ステップＳ４０６）。なお、別のＷＷＷサーバ部を画像管理サーバ３０００にも設けてもよい。こうすることで、画像管理サーバ３０００の各種設定を行うことが容易になる。
【００６６】
本実施形態では、ネットワークスキャナ装置１０００がＷＷＷブラウザ機能を有しているため、画像形成装置２０００の各種出力条件の設定をネットワークを介して行う際に、出力設定画面を表示するためのデータを持たなくてすむ。
【００６７】
これにより、メモリの使用領域を削減することができ、プログラムをコンパクトにできるので、安価で信頼性の高いネットワークスキャナ装置を実現することができる。
【００６８】
また、種々の画像形成装置のそれぞれに対して最適な出力設定画面をＷＷＷブラウザ画面を用いて表示することができ、また、その画面を介して機能設定を行なうことができるため、画像形成装置が異なる機種に更新されたとしても容易に対応することができる。その他の構成及び作用効果は、上記第１の実施形態と同様である。
【００６９】
なお、本発明は、上記各実施形態に例示したものに限定されるものではなく、本発明の要旨を逸脱しない範囲において適宜変更可能である。
【００７０】
例えば、画像形成装置２０００のエラー解除後の印刷データの転送経路を変更し、画像管理サーバ３０００から画像形成装置２０００に直接送信するようにしてもよい。この場合、ネットワークスキャナ装置１０００は、画像管理サーバ３０００に対して画像形成装置２０００への印刷データの送信を指示する。それととともに、ネットワークスキャナ装置１０００は、画像形成装置２０００に対して印刷データの受信を指示することが望ましい。
【００７１】
また、上記各実施形態において、画像形成装置２０００のエラーが発生しておらず印刷動作が行われている場合でも、常にネットワークスキャナ装置１０００から画像管理サーバ３０００へ印刷データを送信して一時保存するように処理を変更してもよい。
【００７２】
更に、上記各実施形態において、画像データ圧縮部８による画像データの圧縮処理や画像データ伸張部２８による圧縮画像データの伸張処理は省略してもよい。
【００７３】
更に、ネットワークスキャナ装置１０００からネットワークを介して送信されるデータは、印刷データに限定されず、例えば、画像読取り部６で読取られた画像データをそのまま、あるいは任意の変換を行ってから送信してもよい。
【００７４】
更に、本発明は、ネットワークに接続されたホストコンピュータにスキャナを接続し、画像データのネットワーク送信や画像処理等をホストコンピュータで行なってもよい。この場合、ホストコンピュータとスキャナを含むシステムが本発明の画像読取装置に相当する。また、本発明は、スキャナをネットワークに接続する接続アダプタとスキャナとからなるシステムについても適用することができる。
【００７５】
また、本発明の目的は、以下の処理を実行することによって達成することもできる。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００７６】
この場合、記憶媒体から読み出されたプログラムコード自体が前述した実施の形態の機能を実現することになり、そのプログラムコード及び該プログラムコードを記憶した記憶媒体は本発明を構成することになる。
【００７７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００７８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７９】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００８０】
【図１】本発明の第１の実施形態であるネットワークスキャナ装置を説明するためのシステム構成図である。
【図２】図１に示すネットワークスキャナ装置の機能ブロック図である。
【図３】図１に示す画像形成装置の機能ブロック図である。
【図４】ネットワークスキャナ装置のスキャナ制御プログラムの一部である画像データ読取送信処理について説明するためのフローチャート図である。
【図５】画像形成装置のエラー状態が解除され、印刷データの受信が可能となったとき、画像管理サーバからネットワークスキャナ装置へ戻した印刷データを画像形成装置へ転送する処理を説明するためのフローチャート図である。
【図６】本発明の第２の実施形態であるネットワークスキャナ装置を説明するための機能ブロック図である。
【図７】画像形成装置の機能ブロック図である。
【図８】ネットワークスキャナ装置の操作表示部でユーザがＵＲＬを入力して、ネットワークを介して画像形成装置にアクセスする際の処理例について説明するためのフローチャート図である。
【符号の説明】
【００８１】
１，２１  ＣＰＵ
２，２２  ＲＡＭ
５，２５  操作表示部
６  画像読取り部
７，２７  ネットワークＩ／Ｆ部
８  画像データ圧縮部
９  画像データ変換部
１０  画像出力設定部
１１  ＷＷＷブラウザ部
２６  印刷部
２８  画像データ伸張部
２９  ＷＷＷサーバ部
１０００  ネットワークスキャナ装置
２０００  画像形成装置
３０００  画像管理サーバ
【図１】
0005070012.tif 000002
【図２】
0005070012.tif 000003
【図３】
0005070012.tif 000004
【図４】
0005070012.tif 000005
【図５】
0005070012.tif 000006
【図６】
0005070012.tif 000007
【図７】
0005070012.tif 000008
【図８】
0005070012.tif 000009